(57)【特許請求の範囲】
【請求項１】
草刈り鎌の刃部付き刃体と、前記刃体を補強する補強体と、握り柄と、前記握り柄の頭部に取付けたシャンクとからなる草刈り鎌において、前記刃体は、右側方部の部位及び刃先尖状部から前記右側方部の部位に夫々嵌挿孔を有し、且厚さが極薄の鋼板材製にして、且前記刃体の全面に硬質クロームメッキ処理を施し、前記補強体は、前記刃体より小形状にして、且右側方部の部位及び尖状先端部から前記右側方部の部位に前記刃体の嵌挿孔と合致する嵌挿孔を有する厚さが前記刃体の厚さよりも厚い鋼板材製とし、且全面にクロームメッキ処理を施すと共に、前記刃体の表面部又は裏面部に前記補強体を重合して、前記刃体及び前記補強体の嵌挿孔を合致せしめ、一体となった前記刃体と補強体の嵌挿孔と前記シャンクに形成の嵌挿孔とを合致せしめ、合致せしめた各嵌挿孔に固定具を挿入し圧潰接着せしめ、前記シャンクの下方部を前記握り柄に刺し込み組立てることを特徴とする草刈り鎌。
【請求項２】
前記草刈り鎌の刃体は、刃先尖状部と右側方部の嵌挿孔との間の中央部位から前記刃先尖状部までの部位を内側方に折曲する湾曲部を形成し、前記刃体に重合する補強体の尖状先端部から前記右側方部の嵌挿孔との間の中央部位から前記尖状先端部までの部位をも内側方に前記刃体と同様に折曲する湾曲部を形成し組立てることを特徴とする請求項１に記載の草刈り鎌。
【請求項３】
前記草刈り鎌の刃体は、厚さが０．３ｍｍもしくは０．３ｍｍ前後の鋼板材製にして、且前記刃体全面に硬質クロームメッキ処理を施し、前記補強体はクロームメッキ処理を施すことを特徴とする請求項１又は同２に記載の草刈り鎌。
【請求項４】
前記補強体は、尖状先端部にして、且前記刃体の表面部又は裏面部の嶺部と、前記嶺部より下方部の部位と、前記刃体の右側方部の嵌挿孔の周辺部位に当接せしめる形状の鋼板材製とすることを特徴とする請求項１又は同２又は同３に記載の草刈り鎌。
【請求項５】
前記草刈り鎌の刃体と１枚の前記補強体とを接着すると、前記鎌の刃体の嵌挿孔と前記補強体の嵌挿孔とが合致し、前記刃体と補強体の嵌挿孔に前記シャンクに形成の嵌挿孔とを合致し、前記固定具を前記各嵌挿孔に挿入して圧潰接着せしめることを特徴とする請求項１又は同２又は同３又は同４に記載の草刈り鎌。
【請求項６】
前記草刈り鎌の刃体の刃部は、前記刃体の裏面部の下方部に刃付けをすることを特徴とする請求項１又は同２又は同３又は同４又は同５に記載の草刈り鎌。
【請求項７】
前記草刈り鎌の刃体は、前記シャンクを基点に前記握り柄に対し、右側方に位置せしめ左利き用として使用ができることを特徴とする請求項１又は同２又は同３又は同４又は同５又は同６に記載の草刈り鎌。
【請求項８】
前記固定具が、リベットであることを特徴とする請求項１又は同２又は同３又は同４又は同５又は同６又は同７に記載の草刈り鎌。
【請求項９】
草刈り鎌の刃部付き刃体と、前記刃体を補強する補強体と、握り柄と前記握り柄の頭部に取付けたシャンクとからなる草刈り鎌において、右側方部の部位及び刃先尖状部から前記右側方部の部位に嵌挿孔を有し、且厚さが極薄の鋼板材製にして、且前記刃体の全面に硬質クロームメッキ処理を施した刃体と、前記刃体より小形状にして、且左側方部は尖状先端部にして、右側方部の部位及び尖状先端部から前記右側方部の部位に前記刃体の嵌挿孔と合致する嵌挿孔を有する厚さが前記刃体の厚さよりも厚い鋼板材製のクロームメッキ処理を施した補強体とを別設し、前記刃体の表面部又は裏面部の嶺部から前記嶺部の下方部の部位と前記嵌挿孔の周辺部位に当接せしめる形状にして、前記刃体と前記補強体とを合致し、合致せしめた前記刃体と補強体と前記シャンクの嵌挿孔とを合致し、前記嵌挿孔に固定具を挿入し、前記固定具の突出面を圧潰せしめ、前記シャンクの下方部を前記握り柄に刺し込み組立てることを特徴とする草刈り鎌の製造法。
【請求項１０】
前記草刈り鎌の刃体は、刃先尖状部と右側方部の嵌挿孔との間の中央部位から前記刃先尖状部までの部位と前記刃体の部位に重合する補強体の部位とを内側方に折曲する湾曲部と、前記刃体の部位に重合する補強体の尖状先端部から前記右側方部の嵌挿孔との間の中央部位から前記尖状先端部までの部位を内側方に折曲する前記湾曲部と相似形状の湾曲部を形成し組立てることを特徴とする請求項９に記載の草刈り鎌の製造法。
【請求項１１】
前記草刈り鎌の刃体は、厚さが０.３ｍｍもしくは０.３ｍｍ前後の鋼板材製にして、且前記刃体全面に硬質クロームメッキ処理を施すことを特徴とする請求項９又は１０に記載の草刈り鎌の製造法。
【請求項１２】
前記草刈り鎌の刃体の刃部は、前記刃体の裏面部の下方部に刃付けをすることを特徴とする請求項９又は１０又は１１に記載の草刈り鎌の製造法。
【請求項１３】
前記草刈り鎌の刃体は、前記シャンクの嵌挿孔を基点に前記握り柄に対し、右側方に位置せしめ左利き用として使用ができることを特徴とする請求項９又は１０又は１１又は１２に記載の草刈り鎌の製造法。
【請求項１４】
前記固定具が、リベットであることを特徴とする請求項９又は１０又は１１又は１２又は１３に記載の草刈り鎌の製造法。
【発明の詳細な説明】
【技術分野】
【０００１】
本発明は、草刈り鎌及び製造法の分野に関するものである。
【背景技術】
【０００２】
従来の鎌として、第１に公開実用昭和５０−３４３２６換え刃式の鎌が開示されているが、この鎌は柄１の上方に取着したアーム２に刃３をネジ４、５で固定する構造である。そのため刃３がアーム２にネジ４、５で固定する程度なので、両部材が使用中にがた付くおそれがある。
【０００３】
第２に、実公昭１８−７３５５号鎌が開示されているが、この鎌は把柄７の頭部に取付片４を取付け、この取付片４に骨枠１を螺鋲６を締着し、薄い刃板２を挾挿する構造である。
【０００４】
しかし、前記構造では、骨枠１と刃板２とが挾挿するだけなので、使用中にがた付きが出て作業性に影響を与えるおそれがある。
【０００５】
さらに、第３に特開２００２−１２５４２６公開特許公報の草刈り鎌が開示されているが、この鎌は、握持部１と背部３と刃部２とからなり、前記背部３に刃部２が止着ネジ４ｆによって止着され、刃部２の替刃体４は薄平板状のカッターナイフ４ａからなっている。
【０００６】
そのため、刃部２と背部３とは、止着ネジで４ｆで固定するだけなので、作業中にがた付くおそれがあると共に、作業性は良好でない。
【０００７】
さらに、前記鎌は、刃部２を砥石で研ぐことができない。
【特許文献１】実開昭５０−３４３２６公開公報
【特許文献２】実公昭１８−７３５５号公告公報
【特許文献３】特開２００２−１２５４２６公開特許公報
【発明の開示】
【発明が解決しようとする課題】
【０００８】
しかるに、本発明が解決しようとする課題は下記のとおり、従来タイプの替刃式草刈り鎌とは異なり替刃を不要とし、さらに刃の取付け部位を、刃体の裏面部の下方を刃部として、砥石に僅か２〜５回位往復運動をさせるだけで、十分に研ぎ上げることができるようにすると共に、刃が小石等に当っても、刃が欠けたりしない堅固な草刈り鎌を得るものである。
【０００９】
さらに、従来タイプの草刈り鎌は、製法として地金に、鋼付けをし、背の部分を厚く、刃の付く部位を平に薄く叩き延ばしていたが、薄くするのにも限度があり、薄くしすぎると刃が直ちに欠けてしまうおそれがあった。
【００１０】
また従来の市販されている有名な草刈り鎌について丹念に調べてみたところ、安価な格安品や、切れると言われている高級品でも、共に刃先が厚く鈍角である。即ち鋭角にすると鎌の刃先が欠けるためわざと鈍角にしているものと見受けられる。一見１ｃｍ以上の刃のように見えるが、実際は２ｍｍ位である。これは鈍角の刃を隠すため１ｃｍ以上削り表面上広く見せ、且鋭角な刃であるかのように見せているにすぎないことが判明した。そして従来の草刈り鎌は砥石を片手に持ち、鎌の刃を研ぐのであるが決して良好な刃は付かないことが判明した。
【００１１】
これに対し、本発明の草刈り鎌は、刃部を薄く、しかも刃は裏刃にして５〜６回研ぐだけと云うよりも、擦る感じで十分にして、且直ちに刃が付き研げるようにした。そのため、従来のような替刃方式を全く不要にした。
【００１２】
さらに、本発明は、草刈り鎌の刃体を、厚さが０．３ｍｍもしくは０．３ｍｍ前後の刃先が欠けない極薄の鋼板材を使用した。
【００１３】
また本発明は、草刈り鎌の刃体を補強する補強体として、前記の刃体と同じ厚さ（０．３ｍｍもしくは０．３ｍｍ前後）の鋼板材を使用し、余りにも薄すぎて製品にはならない前記刃体を補強した。そのために、前記刃体の厚さよりも、約２倍（０．５５ｍｍないし０．５５ｍｍ前後）の厚さにして刃体自体の切れ味を極めて良好にして前記刃体を補強した。
【００１４】
さらに本発明は、前記草刈り鎌の刃体の全表面に従来のクロームメッキよりも３倍もの厚さの硬質メッキ処理を施し、そのため刃部にヤスリをかけても、ヤスリがかからない程度の固い皮膜を形成し、しかも切れ味が極めて良好にして製品寿命も従来品に比し著しく延命し、経済効果をアップせしめた。
【００１５】
また本発明は、前記草刈り鎌の極薄の硬質クロームメッキを施した刃体を補強するために、前記刃体と同じ厚さが０.５５ｍｍもしくは０.５５ｍｍのクロームメッキ処理を施した鋼板材補強体とを、固定具を介して接着し、鎌自体を厚くして長期間刃体の刃部が欠けることなく、しかも切れ味が変らない刃体とした。
【００１６】
さらに本発明は、前記草刈り鎌の補強体付き刃体を握り柄に対し、右側方に位置するようにセットし、左利きの方々でも使用することができるようにした。
【００１７】
また本発明は、前記草刈り鎌の刃体のしなりを平面図よりみると一目瞭然のように、アール状の独特の撓り（湾曲部）を付けて、刃体のどの部分でも、凹凸の多い土地に植生する草の根等に確実に当って、スムーズに草刈りができるようにした。
【００１８】
さらに本発明は、草刈り鎌の刃体の刃部を薄い刃体の裏面に設け、市販（１００円ショップ）されている砥石に乗せるだけで、砥ぐための角度合せを極めて容易に調整できると共に、乗せたまま４〜５回程往復させるだけで刃部の研磨がスムーズにできるようにした。
【００１９】
また本発明は、草刈り鎌の刃体と補強体の使用材料を、鋼板材を使用して、刃体と補強体とをリベットにて圧潰接着をしても、ひび割れが発生しないようにした。
【課題を解決するための手段】
【００２０】
上記課題を解決するための手段として、請求項１記載の発明は、鎌の刃部５付き刃体ａと、前記刃体ａを補強する補強体ｂと、握り柄ｃと、前記握り柄ｃの頭部に取付けたシャンクｄとからなる草刈り鎌Ａにおいて、前記刃体ａは、右側方部の部位及び刃先尖状部２から前記右側方部の部位に夫々嵌挿孔６を有し、且厚さが極薄の鋼板材製にして、且前記刃体ａの全面に硬質クロームメッキ処理を施し、前記補強体ｂは、前記刃体ａより小形状にして、且右側方部の部位及び尖状先端部７から前記右側方部の部位に前記刃体ａの嵌挿孔６と合致する嵌挿孔８を有する厚さが前記刃体ａの厚さよりも厚い鋼板材製とし、且全面にクロームメッキ処理を施すと共に、前記刃体ａの表面部１又は裏面部４に前記補強体ｂを重合して、前記刃体ａ及び前記補強体ｂの嵌挿孔６、８を合致せしめ、一体となった前記刃体ａと補強体ｂの嵌挿孔６、８と前記シャンクｄに形成の嵌挿孔１０とを合致せしめ、合致せしめた各嵌挿孔６、８、１０に固定具１２を挿入し圧潰接着せしめ前記シャンクの下方部を前記握り柄ｃに刺し込み組立てることを特徴とする草刈り鎌である。
【００２１】
上記課題を解決するための手段として、請求項２記載の発明は、前記鎌の刃体ａは、刃先尖状部２と右側方部の嵌挿孔６との間の中央部位から前記刃先部２までの部位を内側方に折曲する湾曲部９を形成し、前記刃体ａに重合する補強体ｂの尖状先端部７から前記右側方部の嵌挿孔８との間の中央部位から前記尖状先端部７までの部位をも内側方に前記刃体ａと同様に折曲する湾曲部９を形成し組立てることを特徴とする請求項１に記載の草刈り鎌である。
【００２２】
上記課題を解決するための手段として、請求項３記載の発明は、前記鎌の刃体ａは、厚さが０．３ｍｍないし０．３ｍｍ前後の鋼板材製にして、且前記刃体全面に硬質クロームメッキ処理を施し、前記補強体ｂはクロームメッキ処理を施すことを特徴とする請求項１又は同２に記載の草刈り鎌である。
【００２３】
上記課題を解決するための手段として、請求項４記載の発明は、前記補強体ｂは、尖状先端部７にして、且前記刃体ａの表面部１又は裏面部４の嶺部３と、前記嶺部３より下方部の部位と、前記刃体ａの右側方部の嵌挿孔６の周辺部位に当接せしめる形状の鋼板材製とすることを特徴とする請求項１又は同２又は同３に記載の草刈り鎌である。
【００２４】
上記課題を解決するための手段として、請求項５記載の発明は、前記鎌の刃体ａと１枚の前記補強体ｂとを接着すると、前記鎌の刃体ａの嵌挿孔６と前記補強体ｂの嵌挿孔８とが合致し、前記刃体ａと補強体ｂの嵌挿孔６、８に前記シャンクｄに形成の嵌挿孔１０とを合致し、前記固定具１２を前記各嵌挿孔６、８、１０に挿入して圧潰接着せしめることを特徴とする請求項１又は同２又は同３又は同４に記載の草刈り鎌である。
【００２５】
上記課題を解決するための手段として、請求項６記載の発明は、前記鎌の刃体ａの刃部５は、前記刃体ａの裏面部４の下方部に刃付けをすることを特徴とする請求項１又は同２又は同３又は同４又は同５に記載の草刈り鎌である。
【００２６】
上記課題を解決するための手段として、請求項７記載の発明は、前記鎌の刃体ａは、前記シャンクｄを基点に前記握り柄ｃに対し、右側方に位置せしめ左利き用として使用ができることを特徴とする請求項１又は同２又は同３又は同４又は同５又は同６に記載の草刈り鎌である。
【００２７】
上記課題を解決するための手段として、請求項８記載の発明は、前記固定具が、リベット１２であることを特徴とする請求項１又は同２又は同３又は同４又は同５又は同６又は同７に記載の草刈り鎌である。
【００２８】
上記課題を解決するための手段として、請求項９記載の発明は、鎌の刃部５付き刃体ａと、前記刃体ａを補強する１枚の補強体ｂと、握り柄ｃと前記握り柄ｃの頭部に取付けたシャンクｄとからなる草刈り鎌Ａにおいて、右側方部の部位及び刃先部２から前記右側方部の部位に嵌挿孔６を有し、且厚さが極薄の鋼板材製にして、且前記刃体ａの全面に硬質クロームメッキ処理を施した刃体ａと、前記刃体ａより小形状にして、且左側方部は尖状先端部７にして、右側方部の部位及び尖状先端部７から前記右側方部の部位に前記刃体ａの嵌挿孔６と合致する嵌挿孔８を有する厚さが前記刃体ａの厚さよりも厚い鋼板材製のクロームメッキ処理を施した補強体ｂとを別設し、前記刃体ａの表面部１又は裏面部４の嶺部３から前記嶺部３の下方部の部位と前記嵌挿孔６の周辺部位に当接せしめる形状にして、前記刃体ａと前記補強体ｂとを合致し、合致せしめた前記刃体ａと補強体ｂと前記シャンクｄの嵌挿孔６、８、１０とを合致し、前記嵌挿孔６、８、１０に固定具１２を挿入し、前記固定具１２の突出面を圧潰せしめ、前記シャンクの下方部を前記握り柄ｃに刺し込み組立てることを特徴とする草刈り鎌の製造法である。
【００２９】
上記課題を解決するための手段として、請求項１０記載の発明は、前記鎌の刃体ａは、刃先尖状部２と右側方部の嵌挿孔６との間の中央部位から前記刃先尖状部２までの部位と前記刃体ａの部位に重合する補強体ｂの部位とを内側方に折曲する湾曲部９と、前記刃体ａの部位に重合する補強体ｂの尖状先端部７から前記右側方部の嵌挿孔８との間の中央部位から前記尖状先端部７までの部位を内側方に折曲する前記湾曲部９と相似形状の湾曲部９を形成し組立てることを特徴とする請求項９に記載の草刈り鎌の製造法である。
【００３０】
上記課題を解決するための手段として、請求項１１記載の発明は、前記鎌の刃体ａは、厚さが０.３ｍｍもしくは０.３ｍｍ前後の鋼板材製にして、且前記刃体全面に硬質クロームメッキ処理を施すことを特徴とする請求項９又は１０に記載の草刈り鎌の製造法である。
【００３１】
上記課題を解決するための手段として、請求項１２記載の発明は、前記鎌の刃体ａの刃部５は、前記刃体ａの裏面部４の下方部に刃付けをすることを特徴とする請求項９又は１０又は１１に記載の草刈り鎌の製造法である。
【００３２】
上記課題を解決するための手段として、請求項１３記載の発明は、前記鎌の刃体ａは、前記シャンクｄの嵌挿孔１０を基点に前記握り柄ｃに対し、右側方に位置せしめ左利き用として使用ができることを特徴とする請求項９又は１０又は１１又は１２に記載の草刈り鎌の製造法である。
【００３３】
上記課題を解決するための手段として、請求項１４記載の発明は、前記固定具が、リベット１２であることを特徴とする請求項９又は１０又は１１又は１２又は１３に記載の草刈り鎌の製造法である。
【発明の効果】
【００３４】
請求項１の本発明は、鎌の刃部５付き刃体ａと、前記刃体ａを補強する補強体ｂと、握り柄ｃと、前記握り柄ｃの頭部に取付けたシャンクｄとからなる草刈り鎌Ａにおいて、前記刃体ａは、右側方部の部位及び刃先尖状部２から前記右側方部の部位に夫々嵌挿孔６を有し、且厚さが極薄の鋼板材製にして、且前記刃体ａの全面に硬質クロームメッキ処理を施し、前記補強体ｂは、前記刃体ａより小形状にして、且右側方部の部位及び尖状先端部７から前記右側方部の部位に前記刃体ａの嵌挿孔６と合致する嵌挿孔８を有する厚さが前記刃体ａの厚さよりも厚い鋼板材製とし、且全面にクロームメッキ処理を施すと共に、前記刃体ａの表面部１又は裏面部４に前記補強体ｂを重合して、前記刃体ａ及び前記補強体ｂの嵌挿孔６、８を合致せしめ、一体となった前記刃体ａと補強体ｂの嵌挿孔６、８と前記シャンクｄに形成の嵌挿孔１０とを合致せしめ、合致せしめた各嵌挿孔６、８、１０に固定具１２を挿入し圧潰接着せしめ、前記シャンクの下方部を前記握り柄ｃに刺し込み組立てる草刈り鎌なので、草刈り作業時に、刃部が欠けることがなく、長期にわたり使用できる利点を有している。そのため、材料代が高額であっても、長期間継続使用ができるので、製品寿命も長く、経済的である。
【００３５】
さらに、本発明は、鎌の刃体ａの刃が、裏刃のため、砥石を持って５〜６回程研ぐというよりも、擦る感じで直ちに刃が付くという利点がある。
【００３６】
また本発明は、草刈り鎌を構成する刃体ａの全面に通常のクロームメッキ処理をしたものと異なって硬質クロームメッキ処理を施したので、作業中に刃部の刃先がかけたりしない利点がある。
【００３７】
さらに本発明は、刃体ａの厚さよりも厚い補強体ｂは、刃体ａの材質と同じ鋼板にして、且厚さが倍の０．５５ｍｍもしくは０．５５ｍｍ前後のものを使用するので、刃体ａは前記補強体ｂによって、確実に固着し、例え極薄の刃体ａでもくにゃくにゃすることなく、固く固着されている。そのため、刃体ａががた付くことがなく、草刈り作業に影響しない利点を有している。
【００３８】
請求項２の本発明は、前記鎌の刃体ａは、刃先尖状部２と右側方部の嵌挿孔６との間の中央部位から前記刃先尖状部２までの部位を内側方に折曲する湾曲部９を形成し、前記刃体ａに重合する補強体ｂの尖状先端部７から前記右側方部の嵌挿孔８との間の中央部位から前記尖状先端部７までの部位をも内側方に前記刃体ａと同様に折曲する湾曲部９を形成し組立てる草刈り鎌なので、前記請求項１に記載の発明と同じ効果を有している。
【００３９】
請求項３の本発明は、前記鎌の刃体ａは、厚さが０．３ｍｍもしくは０．３ｍｍ前後の鋼板材製にして、且前記刃体全面に硬質クロームメッキ処理を施す草刈り鎌なので、前記請求項１又は同２に記載の発明と同じ効果を有している。
【００４０】
請求項４の本発明は、前記補強体ｂは、尖状先端部７にして、且前記刃体ａの表面部１又は裏面部４の嶺部３と、前記嶺部３より下方部の部位と、前記刃体ａの右側方部の嵌挿孔６の周辺部位に当接せしめる形状の鋼板材製とする草刈り鎌なので、両体が同質のため熔接時にひび割れ等が生じない利点がある。そのため不良品の発生はなく、製品寿命が長くなり、極めて経済的である。
【００４１】
さらに、本発明は、前記請求項１又は同２又は同３に記載の発明の効果と同じ効果を有している。
【００４２】
請求項５記載の発明は、前記鎌の刃体ａと１枚ないし２枚の前記補強体ｂとを接着すると、前記鎌の刃体ａの嵌挿孔６と前記補強体ｂの嵌挿孔８とが合致し、前記刃体ａと補強体ｂの嵌挿孔６、８に前記シャンクｄに形成の嵌挿孔１０とを合致し、前記固定具１２を前記各嵌挿孔６、８、１０に挿入して圧潰接着せしめる草刈り鎌なので、前記請求項１又は同２又は同３又は同４に記載の発明と同じ効果を有している。
【００４３】
請求項６の本発明は前記鎌の刃体ａの刃部５は、前記刃体ａの裏面部４の下方部に刃付けをする草刈り鎌なので、前記請求項１又は同２又は同３又は同４又は同５の発明と同じ効果を有している。
【００４４】
請求項７記載の発明は、前記草刈り鎌の刃体ａは、前記シャンクｄを基点に前記握り柄ｃに対し、右側方に位置せしめ左利き用として使用ができる草刈り鎌なので、前記請求項１又は同２又は同３又は同４又は同５又は同６に記載の発明の効果と同じ効果を有している。
【００４５】
請求項８の本発明は、前記固定具が、リベット１２である草刈り鎌なので、前記請求項１又は同２又は同３又は同４又は同５又は同６又は同７に記載の発明と同じ効果を有している。
【００４６】
請求項９記載の発明は、草刈り鎌の刃部５付き刃体ａと、前記刃体ａを補強する補強体ｂと、握り柄ｃと前記握り柄ｃの頭部に取付けたシャンクｄとからなる草刈り鎌Ａにおいて、右側方部の部位及び刃先尖状部２から前記右側方部の部位に嵌挿孔６を有し、且厚さが極薄の鋼板材製にして、且前記刃体ａの全面に硬質クロームメッキ処理を施した刃体ａと、前記刃体ａより小形状にして、且左側方部は尖状先端部７にして、右側方部の部位及び尖状先端部７から前記右側方部の部位に前記刃体ａの嵌挿孔６と合致する嵌挿孔８を有する厚さが前記刃体ａの厚さよりも厚い鋼板材製のクロームメッキ処理を施した補強体ｂとを別設し、前記刃体ａの表面部１又は裏面部４の嶺部３から前記嶺部３の下方部の部位と前記嵌挿孔６の周辺部位に当接せしめる形状にして、前記刃体ａと前記補強体ｂとを合致し、合致せしめた前記刃体ａと補強体ｂと前記シャンクｄの嵌挿孔６、８、１０とを合致し、前記嵌挿孔６、８、１０に固定具１２を挿入し、前記固定具１２の突出面を圧潰せしめ、前記シャンクの下方部を前記握り柄ｃに刺し込み組立てる草刈り鎌の製造法なので、刃部が長期間使用しても、容易に欠けたりすることがなく、且長時間錆びることもなく、刃付けのための研ぎ作業が極めて容易な草刈り鎌を製造することができる利点を有している。
【００４７】
請求項１０記載の発明は、前記草刈り鎌の刃体ａは、刃先尖状部２と右側方部の嵌挿孔６との間の中央部位から前記刃先尖状部２までの部位と前記刃体ａの部位に重合する補強体ｂの部位とを内側方に折曲する湾曲部９と、前記刃体ａの部位に重合する補強体ｂの尖状先端部７から前記右側方部の嵌挿孔８との間の中央部位から前記尖状先端部７までの部位を内側方に折曲する前記湾曲部９と相似形状の湾曲部９を形成し組立てる草刈り鎌の製造法なので、前記請求項９に記載の発明の効果と同じ効果を有している。
【００４８】
請求項１１記載の発明は、前記草刈り鎌の刃体ａは、厚さが０.３ｍｍもしくは０.３ｍｍ前後の鋼板材製にして、且前記刃体全面に硬質クロームメッキ処理を施す草刈り鎌の製造法なので、前記請求項９又は１０に記載の発明の効果と同じ効果を有している。
【００４９】
請求項１２記載の発明は、前記草刈り鎌の刃体ａの刃部５は、前記刃体ａの裏面部４の下方部に刃付けをする草刈り鎌の製造法なので、前記請求項９又は１０又は１１に記載の発明の効果と同じ効果を有している。
【００５０】
請求項１３記載の発明は、前記草刈り鎌の刃体ａは、前記シャンクｄの嵌挿孔１０を基点に前記握り柄ｃに対し、右側方に位置せしめ左利き用として使用ができる草刈り鎌の製造法なので、前記請求項９又は１０又は１１又は１２に記載の発明の効果と同じ効果を有している。
【００５１】
請求項１４記載の発明は、前記固定具が、リベット１２である草刈り鎌の製造法なので、前記請求項９又は１０又は１１又は１２又は１３に記載の発明の効果と同じ効果を有している。
【発明を実施するための最良の形態】
【００５２】
請求項１〜１４記載の発明の実施形態は共通しているので以下のとおり一括して説明する。
【００５３】
図において、Ａは本発明の草刈り鎌であり、以下の構成からなっている。ａは鎌の刃体、ｂは前記刃体ａを補強し、前記刃体ａと接着する補強体である。ｃは握り柄ｃであり、前記握り柄ｃの頭部にはシャンクｄを固着する。
【００５４】
前記刃体ａの実施の一例は、厚さが０．３ｍｍ乃至０．３ｍｍ前後の鋼資材製にして、且前記刃体ａの全面に従来のクロームメッキよりも約３倍もの厚さの硬質クロームメッキ処理を施す。その結果、刃部５にヤスリをかけても、ヤスリがかからない程度の固い皮膜が付いている。
【００５５】
前記刃体ａは、右側方部の部位に縦列状にして、且同形状の嵌挿孔６を複数穿設する。本発明は、図面上３個形成する。
【００５６】
さらに、本発明の刃体ａは、刃先尖状部２から前記右側方部の部位に前記嵌挿孔６と同径状の嵌挿孔６を複数形成する。
【００５７】
また、前記刃体ａは、刃先尖状部２と右側方部の嵌挿孔６との中央部位から、前記刃先尖状部２までの部位を、平面より見て内側方に湾曲状に折曲する湾曲部９を形成する。
【００５８】
本発明は、刃部５を前記刃体ａの裏面部４の下方部に刃付けをする。そのため、砥石の表面に前記刃体ａの刃部５を当てて、５〜６回程度往復するだけで確実に刃が研磨できる。前記の研磨作業は、砥ぐというより、擦ると表現する方が正しい位で十分刃付け作業ができる。
【００５９】
つぎに、前記補強体ｂは、前記したとおり厚さが薄い鋼資材を使用し前記刃体ａを補強するものであり、厚さが０．５５ｍｍもしくは０．５５ｍｍ前後の薄い鋼板資材製のものを使用する。
【００６０】
また前記補強体ｂは、図１、同４のとおり前記刃体ａより小形状にして、且右側方部の部位及び尖状先端部７から前記右側方部の部位に、前記刃体ａと前記補強体ｂが図１に図示され前記刃体ａの複数の嵌挿孔６と合致する重合した状態になると、嵌挿孔８を複数形成する。
【００６１】
さらに、前記補強体ｂも前記刃体ａと同じく相似形状の湾曲部９を形成する。
【００６２】
前記湾曲部９は、右側方部の嵌挿孔８との間の中央部位から前記尖状先端部７までの部位を内側方に折曲して形成する。
【００６３】
前記刃体ａと前記補強体ｂの湾曲部９とは、相似形状をしている。
【００６４】
さらに、前記刃体ａに重合する前記補強体ｂを１枚として使用するときは、前記のとおり前記刃体ａの形状より若干小さ目の形状とするが、その形状は前記刃体ａの表面部１の嶺部３と前記嶺部３より下方部の部位とに接着する。
【００６５】
そして、前記刃体ａと前記補強体ｂとを重合すると、前記刃体ａの嵌挿孔６と、前記補強体ｂの嵌挿孔８とが合致する。そして前記シャンクｄには、前記刃体ａと補強体ｂの右側方部に形成する嵌挿孔６、８と合致する嵌挿孔１０を複数形成する。
【００６６】
さらに、前記補強体ｂを２枚使用するときは、通常２枚共、同形状にして嵌挿孔８とも同位置に形成するものであり、１枚は前記刃体ａの表面部１の嶺部３と前記嶺部３より下方部の部位とに合致し、他の１枚は前記刃体ａの裏面部４より下方部の部位に合致させる。
【００６７】
そして、前記刃体ａと前記２枚の補強体ｂとを刃体ａを中心にして、サンドイッチ状に重合すると、前記刃体ａの嵌挿孔６と、前記補強体ｂの嵌挿孔８とが合致する。そして前記シャンクｄには、前記刃体ａと補強体ｂの右側方部に形成する嵌挿孔６、８と合致する部位に複数の嵌挿孔１０が形成されている。
【００６８】
ｃは握り柄である。前記握り柄ｃの頭部に前記シャンクｄの下方部を打ち込み嵌着する。従って上方部には嵌挿孔１０が飛出している。
【００６９】
前記刃体ａの表面部１に前記補強体ｂを重合すると、両体ａ、ｂの嵌挿孔６、８が合致する。そして両体ａ、ｂの右側方部の嵌挿孔６、８も同様に合致する。
【００７０】
さらに前記刃体ａと前記補強体ｂと前記シャンクｄとの組立ては、以下のとおりとする。
【００７１】
前記１枚の刃体ａの表面部１の嶺部３から前記嶺部３の下方部の部位と前記嵌挿孔６の周辺部位に、前記刃体ａの表面部に前記補強体ｂを重合すると、前記刃体ａの嵌挿孔６と前記補強体ｂの嵌挿孔８とが合致し、さらに前記刃体ａと補強体ｂの嵌挿孔６、８に前記シャンクｄの嵌挿孔１０とが合致し、前記嵌挿孔６、８、１０に夫々固定具１２を挿入し、前記固定具１２の突出部分を圧潰し、前記刃体ａと補強体ｂと前記シャンクｄとを強固に接着せしめ組立てるものである。
【００７２】
また前記２枚の補強体ｂを使用するには、前記したとおり、前記刃体ａの表面部１と裏面部４の嶺部３から前記嶺部３の下方の部位と前記嵌挿孔６の周辺部位とを重合し、且各嵌挿孔６，８，１０とを合致し、前記固定具１２を挿入し、圧潰し強固に接着し組立てる。
【００７３】
前記のように刃体ａと１枚ないし２枚の前記補強体ｂと前記シャンクｄとを前記固定具１２を介して圧潰し組立てられると、前記シャンクｄの下方部を前記握り柄ｃに挿込み固定部材１１を固着する。
【００７４】
そして、前記シャンクｄの下方部に形成の嵌挿孔１３に固定具１４を貫通し前記シャンクｄと前記握り柄ｃとを固着し組立てる。    
【００７５】
そして、前記のように組立てられた刃体ａは極薄状鋼板材製のため、刃部５の刃先部５ａと砥石との砥ぐための角度合せが確実にできるし、刃先部５ａを短時間で刃研ぎすることが可能である。
【００７６】
さらに、本発明は、前記のように刃体ａと補強体ｂとに湾曲部９（しなり）を夫々形成したので、庭や畑の凹部に刃体ａのどの部分も当るので、草の根を確実に刈取ることができる。そのため従来の草刈り鎌に比し、作業能率を著しくアップさせることができる。
【図面の簡単な説明】
【００７７】
【図１】本発明草刈り鎌の第１実施例の一部切欠正面図である。
【００７８】
【図２】同平面図である。
【００７９】
【図３】図１の草刈り鎌の一部切欠右側面図である。
【００８０】
【図４】図１の草刈り鎌の刃体の正面図である。
【００８１】
【図５】同補強体の正面図である。
【００８２】
【図６】同鎌を構成する握り柄の頭部に固着のシャンクの正面図である。
【００８３】
【図７】図６のシャンクの右側面図である。
【００８４】
【図８】同草刈り鎌の第２実施例を示す握り柄に刺し込む前の刃体と補強体とシャンクとをリベットを介して組立てた正面図である。
【００８５】
【図９】同草刈り鎌の第２実施例を示す平面図である。
【００８６】
【図１０】図９の草刈り鎌の一部切欠右側面図である。
【符号の説明】
【００８７】
Ａ        草刈り鎌
ａ        刃体
ｂ        補強体
ｃ        握り柄
ｄ        シャンク
１        表面部
２        刃先部
３        嶺部
４        裏面部
５        刃部
６        嵌挿孔
７        尖状先端部
８        嵌挿孔
９        湾曲部
１０      嵌挿孔
１１      固定部材
１２      リベット
１３      嵌挿孔
１４      固定具
【図１】
0004899107.tif 000002
【図２】
0004899107.tif 000003
【図３】
0004899107.tif 000004
【図４】
0004899107.tif 000005
【図５】
0004899107.tif 000006
【図６】
0004899107.tif 000007
【図７】
0004899107.tif 000008
【図８】
0004899107.tif 000009
【図９】
0004899107.tif 000010
【図１０】
0004899107.tif 000011